(57)【特許請求の範囲】
【請求項１】
コンクリート壁の屋外側の面に断熱材を貼着し、その外側に空気層と外装材を設けた片持ちスラブを有する建物の外断熱構造において、前記断熱材の端部を、前記空気層の厚み内で、上下の片持ちスラブの下面と上面に沿わせて外側へ折り返してあることを特徴とする片持ちスラブを有する建物の外断熱構造。
【発明の詳細な説明】
【０００１】
【発明の属する技術分野】
本発明は、片持ちスラブを有する建物の外断熱構造に関する。
【０００２】
【従来の技術】
コンクリート建物における効果的な断熱工法の一つとして、コンクリート壁の屋外側の面に断熱材を貼着し、その外側に空気層と、壁面仕上げ用の外装材を設けるいわゆる外断熱工法が知られている。
【０００３】
しかしながら、一般的な集合住宅などの建物では、図４に示すように、コンクリート壁ａの外側に、バルコニーなどを構成するコンクリートの片持ちスラブｂが存在するので、コンクリート壁ａの屋外側の面に断熱材ｃを貼着し、その外側に空気層ｄと外装材ｅを設けただけでは、同図に矢印で示すように、片持ちスラブｂがヒートブリッジとなり、断熱欠損が生じることで、断熱性能が低下するという問題点があった。尚、図中のｆは室内側のコンクリートスラブである。
【０００４】
この問題の解決策としては、図５に示すように、屋外側の壁面のみならず、片持ちスラブｂの上下全面を断熱材ｃで覆うことも考えられるが、これによる場合は、断熱材ｃを保護するために、壁面と同様に、片持ちスラブｂの全面を外装材ｅで仕上げることが必要であり、かなりのコスト高となる。
【０００５】
そのため、通常は、図６に示すように、断熱欠損となる室内側のコンクリートスラブｆ上下面と壁ａの一部に断熱材ｇを貼着するいわゆる断熱補強によって、片持ちスラブｂから室内への熱伝導を抑制する方法が採用されている。つまり、集合住宅などコンクリートの片持ちスラブｂを有する建物では、外断熱工法といえども、一部にいわゆる内断熱工法を併用するのが一般的である。
【０００６】
ところが、一部に内断熱工法を併用すると、通常、コンクリート躯体の構築後、開口部にサッシを取り付け、室内側の断熱補強を行った後に、室内の内装工事を行い、最後に、屋外の断熱材および外装材の構築を行うことになるため、断熱工事が工程上二分されて、断熱工事が煩雑になる上に、内装工事との交錯も起こるため、慎重に作業工程を組む必要があった。
【０００７】
【発明が解決しようとする課題】
上記の現状に鑑み、本発明は、コンクリートの片持ちスラブを有する建物において、内断熱工法を併用せずに、しかも片持ちスラブ全面を覆うような過大な作業を行うことなく、片持ちスラブがヒートブリッジとなって断熱性能が低下するという問題点を解決できる外断熱構造を提供するものである。
【０００８】
【課題を解決するための手段】
上記の課題を解決するために、本発明が講じた技術的手段は、次のとおりである。即ち、本発明の特徴は、コンクリート壁の屋外側の面に断熱材を貼着し、その外側に空気層と外装材を設けた片持ちスラブを有する建物の外断熱構造において、前記断熱材の端部を、前記空気層の厚み内で、上下の片持ちスラブの下面と上面に沿わせて外側へ折り返した点にある。
【０００９】
上記の構成によれば、断熱材の端部を折り返した分だけコンクリート壁が厚くなったと仮想できる。そして、コンクリート壁が厚くなったと仮想できる分、断熱欠損の度合いが軽減されることになる。つまり、コンクリートの熱伝導抵抗は低いが、ゼロではなく、コンクリートを厚くした分だけ熱伝導を低減できるので、上記のとおり、断熱材の端部の折り返しによりコンクリート壁が厚くなったと仮想できる分、熱伝導を低減できることになる。
【００１０】
従って、室内側に断熱補強をする必要がなく、断熱工事が内装工事と交錯することがない。しかも、断熱材の端部をコンクリート壁と外装材との間で折り返すだけなので、折り返し部分を保護するための新たな外装材は不要であり、施工も容易である。
【００１１】
【発明の実施の形態】
図１は、集合住宅など片持ちスラブを有する建物の外断熱構造を示す。１は、室内と屋外を仕切るコンクリート壁、２は上下の住戸を仕切るコンクリートスラブ、３はバルコニーなどに用いられるコンクリートの片持ちスラブである。これらの厚さは任意に設定されるが、図示の例では、コンクリート壁１の厚さが１２０ｍｍ、コンクリートスラブ２の厚さが２９５ｍｍに設定され、片持ちスラブ３は、先端の厚さが２２０ｍｍ、元端の厚さが２８０ｍｍとなっている。
【００１２】
コンクリート壁１の屋外側の面には、断熱材（例えば延焼遅延剤が添加されたポリスチレン樹脂発泡体が使用される。）４が接着剤によって貼着されており、その外側に空気層５と外装材６が設けられている。図示の例では、断熱材４の厚さが３０ｍｍである。空気層５の厚み（断熱材４と外装材６との間隔）は１００ｍｍに設定されている。外装材６としては、例えば、外表面にタイル仕上げを施した厚さ６０ｍｍの中空の押出し成形セメント板が使用されており、上下の片持ちスラブ３の下面と上面にアンカー７止めされたＬ形ランナー部材８に係止して固定されている。具体的には、外装材６の上端部裏面に設けられた係止金具を上方のＬ形ランナー部材８に係止させた状態で、外装材６の下端部をコンクリート壁１に向けて押し動かし、所定位置で外装材６を下方へ落とし込んで、外装材６の下端部裏面に設けられた係止金具を下方のＬ形ランナー部材８に係止させることにより固定されている。９は外装材６と片持ちスラブ３との隙間に施されたシール材である。
【００１３】
前記断熱材４の端部４ａは、前記空気層５の厚み内で、上下の片持ちスラブ３の下面と上面に沿わせて外側へ折り返されており、片持ちスラブ３の下面と上面に接着されている。尚、断熱材４の端部４ａは、Ｌ形ランナー部材８のアンカー止め用板片部を覆う状態に接着されている。
【００１４】
上記の構成によれば、断熱材４の端部４ａを折り返した分だけコンクリート壁１が厚くなったと仮想でき、コンクリート壁１が厚くなったと仮想できる分、断熱欠損の度合いが軽減されることになる。図示の例では、上述のとおり、コンクリート壁１の厚さは１２０ｍｍであるが、断熱材４の厚さが３０ｍｍ、断熱材４と外装材６との間隔（空気層５の厚さ）が１００ｍｍあるので、断熱材４を折り返すことによって、断熱材４の折り返し部分（端部４ａ）の長さは１３０ｍｍとなり、コンクリート壁１の厚さは、１２０＋１３０＝２５０ｍｍと仮想できる。コンクリートの熱伝導抵抗は低いが、ゼロではなく、コンクリートを厚くした分だけ熱伝導を低減できるので、上記のとおり、断熱材４の折り返しによりコンクリート壁１が厚くなったと仮想できる分、熱伝導を低減できることになる。従って、北海道など寒冷地を除く首都圏や近畿圏など温暖地域であれば、室内側に断熱補強をする必要がなく、断熱工事が内装工事と交錯することがない。
【００１５】
しかも、断熱材４の端部４ａをコンクリート壁１と外装材６との間で折り返すだけなので、折り返し部分を保護するための新たな外装材は不要であり、施工も容易である。換言すれば、断熱欠損を軽減する度合いに合わせて、或いは、必要とされる仮想のコンクリート壁厚に合わせて、断熱材４の折り返し長さを求め、コンクリート壁１と外装材６の間隔を設定すればよい。
【００１６】
図２と図３は、開口部を有する壁に本発明を適用した例を示す。１０はサッシであり、片持ちスラブ３の上面とコンクリート壁１の屋外側の面にアンカー止めしたアングル材１１に溶接して固定され、外装材６は、片持ちスラブ３の下面とコンクリート壁の片持ちスラブ３の下面と屋外側の面にアンカー７止めしたＬ形ランナー部材８に係止して固定されている。断熱材４はサッシ１０の四周においてコンクリート壁１の屋外側の面に貼着され、断熱材４の端部４ａは、空気層５の厚み内で、片持ちスラブ３の上面、下面とサッシ額縁１２に沿わせて外側へ折り返され、接着されている。９ａは外装材６とサッシ１０との隙間に施されたシール材である。その他の構成は、図１の例と同じであるため説明を省略する。
【００１７】
作業手順としては、先ず、建物のコンクリート躯体を構築した後、アングル材１１によってサッシ１０を取り付け、次に、サッシ１０にサッシ額縁１２を取り付ける。そして、室内の内装工事を進める一方、コンクリート壁１の屋外側の面、片持ちスラブ３の上面、下面やサッシ額縁１２に断熱材４を貼着し、しかる後、Ｌ形ランナー部材８に外装材６を取り付けることで、作業が完了することになる。
【００１８】
従って、一部に内断熱工法を採り入れていた従来例のように、サッシを取り付けた後に室内側の断熱工事を行い、内装工事が終わった後で外側の断熱工事を行うといった工程の二分が起こらず、室内側の断熱工事を待たなくても内装工事ができるので、工程上のクリティカルパスも起こらない。
【００１９】
【発明の効果】
本発明は、上述した構成よりなるから、コンクリートの片持ちスラブを有する建物において、内断熱工法を併用せずに、しかも片持ちスラブ全面を覆うような過大な作業を行うことなく、片持ちスラブがヒートブリッジとなって断熱性能が低下するという問題点を解決できる等の効果がある。
【図面の簡単な説明】
【図１】本発明に係る片持ちスラブを有する建物の外断熱構造を示す壁の縦断面図である。
【図２】開口部を有する壁の縦断面図である。
【図３】開口部を有する壁の横断面図である。
【図４】従来例の問題点を説明する縦断面図である。
【図５】従来例の問題点を説明する縦断面図である。
【図６】従来例の問題点を説明する縦断面図である。
【符号の説明】
１…コンクリート壁、３…片持ちスラブ、４…断熱材、５…空気層、６…外装材。
【図１】
0003863748.tif 000002
【図２】
0003863748.tif 000003
【図３】
0003863748.tif 000004
【図４】
0003863748.tif 000005
【図５】
0003863748.tif 000006
【図６】
0003863748.tif 000007